(57)【要約】  ダクト式空気調和機は、室内機（ａ）またはメインダクト（３０）内に設置した冷媒の漏洩を検知する冷媒検知センサ（Ｄ）と、室内機（ａ）の下流側で、かつ、流入ダクト（３２）の上流側で、メインダクト（３０）と連結されるとともに屋外と繋がる排出ダクト（３３）と、常時は排出ダクト（３３）を塞ぎ、冷媒検知センサ（Ｄ）が冷媒漏洩を検知した際に、メインダクト（３０）を塞ぐ切換えダンパ（９）を有している。制御装置は、冷媒検知センサ（Ｄ）で冷媒漏洩を検知した場合に、切換えダンパ（９）をメインダクト３０側に切換え、排出ダクト３３に設置したダクトファン５を運転して漏洩した冷媒を屋外へ排出運転を行う。
2019097604.tif 000002
【特許請求の範囲】
【請求項１】
建物の天井または壁に配置される空調用のメインダクトと、
前記メインダクトと室内とを連結する排気ダクトおよび空調ダクトと、
前記メインダクトと前記排気ダクトとの連結部である第１連結部と、前記メインダクトと前記空調ダクトとの連結部である第２連結部との間に配置される空気調和機の室内機と、
前記室内機からの冷媒の漏洩を検知する冷媒漏洩検知手段と、
前記室内機の下流側で、前記メインダクトと連結されるとともに屋外と繋がる排出機構と、
前記室内機を制御する制御装置と、を備え、
前記制御装置は、前記冷媒漏洩検知手段で冷媒漏洩を検知した場合に、前記排出機構を介して漏洩した冷媒を屋外へ排出運転を行う
ことを特徴とするダクト式空気調和機。
【請求項２】
前記排出機構は、
前記室内機の下流側で、かつ、前記空調ダクトの上流側で、前記メインダクトと連結されるとともに屋外と繋がる排出ダクトと、
常時は前記排出ダクトを塞ぎ、前記冷媒漏洩検知手段が冷媒漏洩を検知した際に、前記メインダクトを塞ぐ切換えダンパと、
前記排出ダクトに設置した送風機と、を備え、
前記制御装置は、前記冷媒漏洩検知手段で冷媒漏洩を検知した場合に、前記切換えダンパを前記メインダクト側に切換え、前記排出ダクトに設置した前記送風機を運転して漏洩した冷媒を屋外へ排出運転を行う
ことを特徴とする請求項１に記載のダクト式空気調和機。
【請求項３】
前記排出機構は、
前記メインダクトと連結されるとともに屋外と繋がる排出ダクトと、
常時は前記排出ダクトを塞ぎ、前記冷媒漏洩検知手段が冷媒漏洩を検知した際に、前記空調ダクトを塞ぐ切換えダンパと、
前記排出ダクトに設置した送風機と、を備え、
前記制御装置は、前記冷媒漏洩検知手段で冷媒漏洩を検知した場合に、前記切換えダンパを前記空調ダクト側に切換え、前記排出ダクトに設置した前記送風機を運転して漏洩した冷媒を屋外へ排出運転を行う
ことを特徴とする請求項１に記載のダクト式空気調和機。
【請求項４】
前記排出機構は、
前記メインダクトと連結されるとともに屋外と繋がる排出ダクトを有し、
前記空調ダクトは、前記室内機と前記排出ダクトとの間に前記室内機に近い第１空調ダクトと、前記室内機に遠い第２空調ダクトを有しており、
常時は前記第１空調ダクトを開放し、前記冷媒漏洩検知手段が冷媒漏洩を検知した際に、前記第１空調ダクトを塞ぐまたは前記メインダクトを塞ぐ第１切換えダンパと、
常時は前記排出ダクトを塞ぎ、前記冷媒漏洩検知手段が冷媒漏洩を検知した際に、前記第２空調ダクトを塞ぐ第２切換えダンパと、
前記排出ダクトに設置した送風機と、を備え、
前記制御装置は、前記冷媒漏洩検知手段で冷媒漏洩を検知した場合に、前記第１切換えダンパを前記第1空調ダクトを塞ぐように切換え、かつ、前記第２切換えダンパを前記第２空調ダクト側に切換え、前記排出ダクトに設置した前記送風機を運転して漏洩した冷媒を屋外へ排出運転を行う
ことを特徴とする請求項１に記載のダクト式空気調和機。
【請求項５】
前記制御装置は、所定時間経過後、
前記第１切換えダンパを、前記メインダクト側に切換え、前記排出ダクトに設置した前記送風機を運転して前記室内の換気運転を行う
ことを特徴とする請求項４に記載のダクト式空気調和機。
【発明の詳細な説明】
【技術分野】
【０００１】
本発明は、ダクト式空気調和機に関する。
【背景技術】
【０００２】
地球温暖化防止のため、冷凍空調機器に使用する冷媒のＧＷＰ（Global Warming Potential；地球温暖化係数）値低減が求められている。ＧＷＰ値が低い冷媒は、微燃性（可燃性）を有することとなるため、微燃性を有するＡ２Ｌ冷媒を安全に使用するために冷媒漏洩に備えた安全対策を求める法律、規格が制定されている。【０００３】
換気空調機能を有する利用側空調装置およびそれを備えた空調装置において、冷媒の漏洩が発生した場合に、漏洩した冷媒を速やかに排出して被空調空間に供給されないようにすることが提案されている（特許文献１参照）。【０００４】
特許文献１には、「ケーシングと、ケーシング内に設けられており、熱源側空調装置から供給される冷媒によってケーシング内の空気を冷却または加熱する利用側熱交換器と、被空調空間からケーシングに室内空気を取り入れ、被空調空間外からケーシングに室外空気を取り入れ、ケーシング内の空気を被空調空間に供給空気として供給し、ケーシング内の空気を被空調空間外に排出空気として排出する給排気機構と、冷媒を検知する冷媒漏洩検知装置と、を有しており、冷媒漏洩検知装置が冷媒を検知した際に、給排気機構によってケーシング内の空気とともに冷媒を被空調空間外に排出する冷媒排出運転を行う利用側空調装置」が記載されている。
【先行技術文献】
【特許文献】
【０００５】
【特許文献１】特開２０１７−７５７７７号公報
【発明の概要】
【発明が解決しようとする課題】
【０００６】
特許文献１は、冷媒漏洩検知装置が冷媒を検知した際には、給排気機構によってケーシング内の空気とともに冷媒を被空調空間外に排出する冷媒排出運転を行い、給排気機構を構成する第１排気送風機を運転することによって、冷媒排出運転を行うようにしている。しかしながら、被空調空間である室内と、ケーシングとはダクトで連通しているので、冷媒が入る虞がある（段落００５９参照）。これに対処するため、室内との連通ダクトに給気防止機構が設けられているが（段落００９３参照）、冷媒排出運転時の排気系統が複雑化するものとなっている。【０００７】
本発明は、前記の課題を解決するための発明であって、冷媒漏洩時の冷媒の排出処理を的確に行うことができるダクト式空気調和機を提供することを目的とする。
【課題を解決するための手段】
【０００８】
前記目的を達成するため、本発明のダクト式空気調和機は、建物の天井または壁に配置される空調用のメインダクト（例えば、メインダクト３０）と、メインダクトと室内（例えば、被空調空間Ｒ）とを連結する排気ダクト（例えば、流出ダクト３１）および空調ダクト（例えば、流入ダクト３２）と、メインダクトと排気ダクトとの連結部である第１連結部と、メインダクトと空調ダクトとの連結部である第２連結部との間に配置される空気調和機の室内機（例えば、室内機ａ）と、室内機からの冷媒の漏洩を検知する冷媒漏洩検知手段（例えば、冷媒検知センサＤ）と、室内機の下流側で、メインダクトと連結されるとともに屋外と繋がる排出機構（例えば、排出ダクト３３、切換えダンパ９、ダクトファン５）と、室内機を制御する制御装置（例えば、制御部２４）と、を備え、制御装置は、冷媒漏洩検知手段で冷媒漏洩を検知した場合に、排出機構を介して漏洩した冷媒を屋外へ排出運転を行うことを特徴とする。本発明のその他の態様については、後記する実施形態において説明する。
【発明の効果】
【０００９】
本発明によれば、冷媒漏洩時の冷媒の排出処理を的確に行うことができる。
【図面の簡単な説明】
【００１０】
【図１】第１実施形態に係るダクト式空気調和機の全体構成を示す図である。
【図２】ダクト式空気調和機の冷凍サイクル構成を示す図である。
【図３】第１実施形態に係るダクト式空気調和機の制御システム構成を示す図である。
【図４】第１実施形態に係る冷媒漏洩を検知した後のダンパの状態を示す図である。
【図５】第２実施形態に係るダクト式空気調和機の全体構成を示す図である。
【図６】第２実施形態に係る空気調和機の制御システム構成を示す図である。
【図７】第２実施形態に係る冷媒漏洩を検知した後のダンパの状態を示す図である。
【図８】第２実施形態に係る冷媒漏洩を検知した後のダンパの状態の他の例を示す図である。
【発明を実施するための形態】
【００１１】
本発明を実施するための実施形態について、適宜図面を参照しながら詳細に説明する。
＜第１実施形態＞
図１は、第１実施形態に係るダクト式空気調和機の全体構成を示す図である。空気調和機は、後記する熱交換器と送風ファンとを備え、吸込口から空気を取り込み、空調した後の空気を吹出口から送り出すように構成されている。ダクト式空気調和機１００は、室外機Ａと室内機ａとで構成されており、ダクト式空気調和機１００の室内機ａは、被空調空間Ｒとなる室内とダクトで繋がっている。
【００１２】
ダクトは、建物の天井または壁に配置される空調用のメインダクト３０と、被空調空間Ｒから空気調和機側に空気を取り込む流出ダクト３１（排気ダクト）と、被空調空間Ｒに空調した空気を送る流入ダクト３２（３２ａ，３２ｂ）（空調ダクト）とで構成される。また、ダクトは、流出ダクト３１と流入ダクト３２とは別に、建物外部と繋がった排出ダクト３３を有する。
【００１３】
室内機ａは、メインダクト３０と流出ダクト３１（排気ダクト）との連結部である第１連結部３５と、メインダクト３０と流入ダクト３２ａ（空調ダクト）との連結部である第２連結部３６ａ（３６）との間に配置されている。
【００１４】
本実施形態の排出機構１１０は、排出ダクト３３、切換えダンパ９、ダクトファン５を含んで構成されている。排出ダクト３３は、室内機ａの下流側で、かつ、流入ダクト３２の上流側のメインダクト３０と第３連結部３７で連結されている。排出ダクト３３には、建物外部側へ送風するダクトファン５が設けられている。
【００１５】
本実施形態では、流入ダクト３２よりも室内機ａに近い位置に排出ダクト３３が設けられている。言い換えれば、室内機ａに接続されたダクトが最初の分岐点で排出ダクト３３に接続されている。本実施形態では、流入ダクト３２にはダンパを設けず、排出ダクト３３だけに切換えダンパ９を設けている。切換えダンパ９は、ダンパの開閉を制御するアクチュエータ８が連結されている。
【００１６】
切換えダンパ９は、排出ダクト３３側への空気の流通を全閉、かつ、メインダクト３０に連結されている流入ダクト３２側への空気の流通を全開とする第１の状態（通常時）と、排出ダクト３３側への空気の流通を全開、かつ、流入ダクト３２側への空気の流通を全閉とする第２の状態（漏洩時）と、に切換え制御することができる。
【００１７】
室内機ａまたはメインダクト３０には、冷媒漏洩を検知する冷媒検知センサＤ（冷媒漏洩検知手段）が設けられる。例えば、空気調和機の室内機ａの吹出側の近傍に位置するように設けられる。
【００１８】
冷媒検知センサＤ、アクチュエータ８、ダクトファン５は、ダクト式空気調和機１００の制御装置（例えば、制御部２４、図３参照）と電気的に接続され、運転状態に応じて制御される。室外機Ａと室内機ａを循環する冷媒には、Ｒ３２、Ｒ１２３４ｙｆおよびＲ１２３４ｚｅなどの微燃性（Ａ２Ｌ）冷媒が用いられる。
【００１９】
図２は、ダクト式空気調和機の冷凍サイクル構成を示す図である。マルチ型の空気調和機（マルチエアコン）では、１台の室外機Ａと複数台の室内機ａおよび各ユニットを接続するガス側冷媒配管Ｅ１、液側冷媒配管Ｅ２で構成されている。ここでは、室内機ａがひとつの場合を例として説明する。
【００２０】
ガス側冷媒配管Ｅ１と液側冷媒配管Ｅ２は、室内機ａに冷媒を供給する。室外機Ａの室外ガス側阻止弁１にガス側冷媒配管Ｅ１を接続し、室外機Ａの室外液側阻止弁２に液側冷媒配管Ｅ２を接続することで、１つの冷凍サイクル系統を構成している。
【００２１】
室内機ａは、室内送風機３、室内熱交換器４で構成されている。なお、室内機ａ内に、機内に減圧装置（膨張弁）を有する室内機（パッケージエアコン）であってもよい。また、冷媒検知センサＤは室内機ａの近傍（この例では、室内熱交換器４の近傍）に取り付けられる。
【００２２】
室外機Ａにおいては、圧縮機１０、四方弁１１、室外送風機１２、室外熱交換器１３、膨張弁１４、冷媒タンク１５、アキュームレータ１６で構成されている。矢印は冷媒配管を流れる冷媒の方向を示し、実線矢印が冷房運転で、逆向きの破線矢印が暖房運転を示す。この冷媒の流れ方向は、室外機Ａ内の四方弁１１の切り替えにより決められる。
【００２３】
図３は、ダクト式空気調和機の制御システム構成を示す図である。室外機Ａの制御部２３は、通信線２１を介して集中管理制御機器２０と接続されており、通信線１９を介して室内機ａと接続されている。室内機ａの制御部２４は、通信線２５を介して、冷媒検知センサＤ、アクチュエータ８、ダクトファン５と接続されている。さらに、リモコン１７（空調制御端末）は、室内機ａに制御指令（運転／停止、運転モード、温度、風量／風向などの設定）を与えるリモコンであり、室内機ａとはリモコン線１８で接続されている。これにより、１つの制御システムを構成している。
【００２４】
図４は、第１実施形態に係る冷媒漏洩を検知した後のダンパの状態を示す図である。切換えダンパ９の前記した第１の状態（通常時）は図１に示し、図４は前記した第２の状態（漏洩時）を示す。制御部２４は、冷媒検知センサＤ（冷媒漏洩検知手段）で冷媒漏洩を検知した場合に、切換えダンパ９をメインダクト３０側に切換え、排出ダクト３３に設置したダクトファン５（送風機）を運転して漏洩した冷媒を屋外へ排出運転を行う。
【００２５】
本実施形態は、ダンパが１つであるシンプルな構成とすることで、各流入ダクト３２にダンパを設けなくとも冷媒漏洩時に被空調空間Ｒへの冷媒の漏れを抑制して、漏洩した冷媒を建物外部へ排出することができる。したがって、漏洩時の対策を低コストで実現することができる。
【００２６】
なお、切換えダンパ９で、排出ダクト３３側と流入ダクト３２側との開閉を行っているが、排出ダクト３３側と流入ダクト３２側とにそれぞれ開閉ダンパを設けてもよい。その際、排出ダクト３３の分岐点の下流側で、かつ、流入ダクト３２の上流側のメインダクト３０に開閉ダンパを設けると、ダンパの個数を減らすことが可能である。
【００２７】
また、制御部２４は、冷媒漏洩の検知信号を、リモコン線１８を介してリモコン１７に送信するとともに、通信線１９を介して室外機Ａに送信する。そして、室外機Ａの制御部２３から上位の集中管理制御機器２０に冷媒漏洩の検知信号を送信する。これにより、上位の集中管理制御機器２０やリモコン１７に「室内機ａ：冷媒漏洩」という警告を表示するとよい。
【００２８】
以上、第１実施形態のダクト式空気調和機１００は、建物の天井または壁に配置される空調用のメインダクト３０と、メインダクト３０と室内（例えば、被空調空間Ｒ）とを連結する流出ダクト３１（排気ダクト）および流入ダクト３２（空調ダクト）と、メインダクト３０と排気ダクトとの連結部である第１連結部３５と、メインダクト３０と空調ダクトとの連結部である第２連結部３６との間に配置される空気調和機の室内機ａと、室内機ａからの冷媒の漏洩を検知する冷媒検知センサＤ（冷媒漏洩検知手段）と、室内機ａの下流側で、メインダクト３０と連結されるとともに屋外と繋がる排出機構１１０と、室内機ａを制御する制御部２４（制御装置）と、を備えている。制御装置は、冷媒漏洩検知手段で冷媒漏洩を検知した場合に、排出機構１１０を介して漏洩した冷媒を屋外へ排出運転を行うことができる。これにより、冷媒漏洩時、冷媒の混ざった空気を屋外に排出することで室内の冷媒濃度が可燃濃度下限値以上になることを防止することができる。
【００２９】
排出機構１１０は、室内機ａの下流側で、かつ、空調ダクトの上流側で、メインダクト３０と連結されるとともに屋外と繋がる排出ダクト３３と、常時は排出ダクトを塞ぎ、冷媒漏洩検知手段（冷媒検知センサＤ）が冷媒漏洩を検知した際に、メインダクト３０を塞ぐ切換えダンパ９と、排出ダクト３３に設置したダクトファン５（送風機）と、を備えている。制御装置（制御部２４）は、冷媒漏洩検知手段で冷媒漏洩を検知した場合に、切換えダンパ９をメインダクト３０側に切換え、排出ダクトに設置した送風機を運転して漏洩した冷媒を屋外へ排出運転を行うことができる。送風機は、室内機ａの室内送風機３の送風による排気量の不足を補い、早期に冷媒を屋外へ排出することができる。
【００３０】
制御装置（制御部２４）は、冷媒漏洩検知手段（冷媒検知センサＤ）から検知信号を受信すると、切換えダンパ９を、メインダクトを全閉するように切換え、ダクトファン５を起動させた状態に制御する。ダクト内に漏洩した冷媒は、流入ダクト３２側には流れずに排出ダクト３３へ流れ込み、ダクトファン５により建物外部へ導かれる。これにより、メインダクト３０内に漏洩した冷媒を被空調空間Ｒに流入させることなく、建物外部へ排出することができる。なお、空気調和機の室内機ａ内にも室内送風機３が設けられているが、排出ダクト３３が長い場合には排気を促進するためダクトファン５が設けられることが望ましい。なお、一部屋の例を示したが、部屋が複数の場合にも本実施形態のダクト式空気調和機１００は、適用可能である。
【００３１】
＜第２実施形態＞
図５は、第２実施形態に係るダクト式空気調和機の全体構成を示す図である。第２実施形態は、排出ダクト３３の位置が第１実施形態と異なる。第２実施形態では、メインダクト３０の延長線で、室内機ａに遠い位置に排出ダクト３３が設けられている。室内機ａに接続されたダクトが流入ダクト３２ｂとの分岐点に排出ダクト３３が接続されている。第１実施形態と同一要素には同一符号を付し重複する説明は省略する。
【００３２】
排出機構１１０は、排出ダクト３３、切換えダンパ９Ａ、切換えダンパ７、ダクトファン５を含んで構成されている。なお、流入ダクト３２ａがない被空調空間Ｒの場合には、切換えダンパ７は、排出機構１１０に含んでいなくてもよい。
【００３３】
切換えダンパ９Ａは、メインダクト３０に連結されている排出ダクト３３側への空気の流通を全閉、かつ、メインダクト３０に連結されている流入ダクト３２ｂ（空調ダクト）側への空気の流通を全開とする第１の状態（通常時）と、排出ダクト３３側への空気の流通を全開、かつ、流入ダクト３２ｂ側への空気の流通を全閉とする第２の状態（漏洩時）と、に切換え制御することができる。切換えダンパ９Ａは、ダンパの開閉を制御するアクチュエータ８が連結されている。
【００３４】
切換えダンパ７は、メインダクト３０に連結されている流入ダクト３２ａ側への空気の流通を全開とする第１の状態（通常時）と、流入ダクト３２ａへの空気を全閉する第２の状態（漏洩時）と、メインダクト３０側の空気の流通を全閉、かつ、流入ダクト３２ａ側からの空気の流通を全開とする第３の状態（漏洩時）と、に切換え制御することができる。切換えダンパ７は、ダンパの開閉を制御するアクチュエータ６が連結されている。
【００３５】
図６は、第２実施形態に係る空気調和機の制御システム構成を示す図である。図３に示す第１実施形態と同一要素には同一符号を付し重複する説明は省略する。室内機ａの制御部２４は、通信線２５を介して、冷媒検知センサＤ、アクチュエータ６，８、ダクトファン５と接続されている。制御部２４（制御装置）は、通常運転時において、図５に示すように、切換えダンパ７，９Ａとも前記第１の状態に制御する。すなわち、切換えダンパ７を、流入ダクト３２ａ側への空気の流通を全開とし、切換えダンパ９Ａを、排出ダクト３３側への空気の流通を全閉、かつ、メインダクト３０に連結されている流入ダクト３２ｂ（空調ダクト）側への空気の流通を全開とする。また、ダクトファン５は停止させた状態である。空調した空気は室内機ａから送り出され、流入ダクト３２ａ，３２ｂを通過して被空調空間Ｒに送り出される。被空調空間Ｒを通過した空気は流出ダクト３１を介して室内機ａに取り込まれる。
【００３６】
次に、冷媒漏洩を検知した後のダンパの状態を図７、図８で説明する。
図７は、第２実施形態に係る冷媒漏洩を検知した後のダンパの状態を示す図である。適宜、図５および図６を参照する。制御部２４（制御装置）は、冷媒検知センサＤ（冷媒漏洩検知手段）で冷媒漏洩を検知した場合に、切換えダンパ９Ａを前記第２の状態の流入ダクト３２ｂ（空調ダクト）側に切換えるとともに、切換えダンパ７を前記第２の状態の流入ダクト３２ａへの空気を全閉する。また、排出ダクト３３に設置したダクトファン５（送風機）を運転して漏洩した冷媒を屋外へ排出運転を行う。
【００３７】
ダクト内に漏洩した冷媒は、流入ダクト３２ａ，３２ｂ側には流れずに排出ダクト３３へ流れ込み、ダクトファン５により建物外部へ導かれる。これにより、ダクト内に漏洩した冷媒を被空調空間Ｒに流入させることなく、建物外部へ排出することができる。なお、室内機ａ内にも送風ファンが設けられているが、排出ダクト３３が長い場合には排気を促進するためダクトファン５も設けられることが望ましい。
【００３８】
図８は、第２実施形態に係る冷媒漏洩を検知した後のダンパの状態の他の例を示す図である。図８に示すダンパの状態は、図７に示すダンパの状態から所定時間経過後の状態である。適宜、図５および図６を参照する。制御部２４（制御装置）は、冷媒検知センサＤ（冷媒漏洩検知手段）で冷媒漏洩を検知した場合に、切換えダンパ７を前記第３の状態であるメインダクト３０側の空気の流通を全閉し、室内機ａの室内送風機３を停止する。これにより、被空調空間Ｒの換気運転を行うことができる。流出ダクト３１に代えて、排出ダクト３３側に近い流入ダクト３２ａ側から換気運転ができるため、効率よい被空調空間Ｒの換気ができる。
【００３９】
以上、第２実施形態における排出機構１１０は、メインダクト３０と連結されるとともに屋外と繋がる排出ダクト３３と、常時は排出ダクト３３を塞ぎ、冷媒検知センサＤ（冷媒漏洩検知手段）が冷媒漏洩を検知した際に、流入ダクト３２（空調ダクト）を塞ぐ切換えダンパ９Ａと、排出ダクト３３に設置したダクトファン５（送風機）と、を備えている。制御装置（制御部２４）は、冷媒漏洩検知手段（冷媒検知センサＤ）で冷媒漏洩を検知した場合に、切換えダンパ９Ａを空調ダクト側に切換え、排出ダクト３３に設置した送風機を運転して漏洩した冷媒を屋外へ排出運転を行うことができる。これにより、冷媒漏洩時の排出処理を的確に行うことができる。
【００４０】
第２実施形態に他の排出機構１１０は、メインダクト３０と連結されるとともに屋外と繋がる排出ダクト３３を有し、流入ダクト３２（空調ダクト）は、室内機ａと排出ダクト３３との間に室内機ａに近い流入ダクト３２ａ（第１空調ダクト）と、室内機ａに遠い流入ダクト３２ｂ（第２空調ダクト）を有しており、常時は第１空調ダクトを開放し、冷媒漏洩検知手段（冷媒検知センサＤ）が冷媒漏洩を検知した際に、第１空調ダクトを塞ぐまたはメインダクト３０を塞ぐ第１切換えダンパ７と、常時は排出ダクト３３を塞ぎ、冷媒漏洩検知手段が冷媒漏洩を検知した際に、第２空調ダクトを塞ぐ第２切換えダンパ９Ａと、排出ダクトに設置したダクトファン５（送風機）と、を備えている。制御装置（制御部２４）は、冷媒漏洩検知手段で冷媒漏洩を検知した場合に、第１切換えダンパを第1空調ダクトを塞ぐように切換え、かつ、第２切換えダンパを第２空調ダクト側に切換え、排出ダクト３３に設置した送風機を運転して漏洩した冷媒を屋外へ排出運転を行うことができる。これにより、冷媒漏洩時の排出処理を的確に行うことができる。
【００４１】
制御装置は、所定時間経過後、第１切換えダンパを、メインダクト３０側に切換え、排出ダクト３３に設置した送風機を運転して室内の換気運転を行うことができる。これにより、冷媒漏洩時の排出処理後、被空調空間Ｒの換気処理を的確に行うことができる。
【００４２】
以上述べた実施形態において、排出機構１１０として、切換えダンパを含めた構成について説明した。しかし、排出機構１１０としては、必ずしもこれに限らない。例えば、図５において、切換えダンパ９Ａを省略し、ダクトファン５が風圧で開くシャッターを設けてもよい。通常時、シャッターは閉じているため、室内機ａからの送風は、流入ダクト３２を介して送風される。また、冷媒漏洩時には、ダクトファン５が起動されてダクト内の冷媒を含む空気を屋外に排出することができる。この例では、流入ダクト３２は閉じていないが、ダクトファン５の排出能力が大きい場合、冷媒を含む空気は被空調空間Ｒに流入することなく、屋外に排出することができる。図１の排出ダクト３３のダクト容積が大きくない場合には、同様に、切換えダンパ９を省略し、ダクトファン５が風圧で開くシャッターを設けてもよい。
【００４３】
図８において、被空調空間Ｒの密閉度が高い場合、ダクトファン５を最大出力で駆動しても、換気ができない状態がある。この場合には、制御装置は、室内機ａに接続されるリモコン１７（空調制御端末）（図６参照）を介して、被空調空間Ｒの窓やドアを開ける旨を報知してもよい。この報知は、図７に示す冷媒漏洩検知時にも適用してもよい。
【符号の説明】
【００４４】
１    室外ガス側阻止弁
２    室外液側阻止弁
３    室内送風機
４    室内熱交換器
５    ダクトファン（送風機）
６，８    アクチュエータ
７    切換えダンパ（第１切換えダンパ）
９    切換えダンパ（第２切換えダンパ）
１０    圧縮機
１１    四方弁
１２    室外送風機
１３    室外熱交換器
１４    膨張弁
１５    冷媒タンク
１６    アキュームレータ
１７    リモコン
１８    リモコン線
１９    通信線（第１通信線）
２０    集中管理制御機器
２１    通信線
２３    制御部
２４    制御部（制御装置）
２５    通信線（第２通信線）
３０    メインダクト
３１    流出ダクト（排気ダクト）
３２    流入ダクト（空調ダクト
３２ａ    流入ダクト（空調ダクト、第１空調ダクト）
３２ｂ    流入ダクト（空調ダクト、第２空調ダクト）
３３    排出ダクト
３５    第１連結部
３６    第２連結部
３７    第３連結部
１００，１００Ａ    ダクト式空気調和機
１１０    排出機構
Ａ    室外機
ａ    室内機
Ｄ    冷媒検知センサ（冷媒漏洩検知手段）
Ｅ１    ガス側冷媒配管（冷媒配管、高低圧ガス冷媒配管、低圧ガス冷媒配管）
Ｅ２    液側冷媒配管（冷媒配管）
Ｒ    被空調空間
【図１】
2019097604.tif 000003
【図２】
2019097604.tif 000004
【図３】
2019097604.tif 000005
【図４】
2019097604.tif 000006
【図５】
2019097604.tif 000007
【図６】
2019097604.tif 000008
【図７】
2019097604.tif 000009
【図８】
2019097604.tif 000010
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
建物の天井または壁に配置される空調用のメインダクトと、
前記メインダクトと室内とを連結する排気ダクトおよび空調ダクトと、
前記メインダクトと前記排気ダクトとの連結部である第１連結部と、前記メインダクトと前記空調ダクトとの連結部である第２連結部との間に配置される空気調和機の室内機と、
前記室内機からの冷媒の漏洩を検知する冷媒漏洩検知手段と、
前記室内機の下流側で、前記メインダクトと連結されるとともに屋外と繋がる排出機構と、
前記室内機を制御する制御装置と、を備え、
前記排出機構は、
前記メインダクトと連結されるとともに屋外と繋がる排出ダクトを有し、
前記空調ダクトは、前記室内機と前記排出ダクトとの間に前記室内機に近い第１空調ダクトと、前記室内機に遠い第２空調ダクトを有しており、
常時は前記第１空調ダクトを開放し、前記冷媒漏洩検知手段が冷媒漏洩を検知した際に、前記第１空調ダクトを塞ぐまたは前記メインダクトを塞ぐ第１切換えダンパと、
常時は前記排出ダクトを塞ぎ、前記冷媒漏洩検知手段が冷媒漏洩を検知した際に、前記第２空調ダクトを塞ぐ第２切換えダンパと、
前記排出ダクトに設置した送風機と、を備え、
前記制御装置は、前記冷媒漏洩検知手段で冷媒漏洩を検知した場合に、前記第１切換えダンパを前記第1空調ダクトを塞ぐように切換え、かつ、前記第２切換えダンパを前記第２空調ダクト側に切換え、前記排出ダクトに設置した前記送風機を運転して漏洩した冷媒を屋外へ排出運転を行う
ことを特徴とするダクト式空気調和機。
【請求項２】
前記制御装置は、所定時間経過後、
前記第１切換えダンパを、前記メインダクト側に切換え、前記排出ダクトに設置した前記送風機を運転して前記室内の換気運転を行う
ことを特徴とする請求項１に記載のダクト式空気調和機。
【手続補正２】
【補正対象書類名】明細書
【補正対象項目名】０００８
【補正方法】変更
【補正の内容】
【０００８】
前記目的を達成するため、本発明のダクト式空気調和機は、建物の天井または壁に配置される空調用のメインダクト（例えば、メインダクト３０）と、メインダクトと室内（例えば、被空調空間Ｒ）とを連結する排気ダクト（例えば、流出ダクト３１）および空調ダクト（例えば、流入ダクト３２）と、メインダクトと排気ダクトとの連結部である第１連結部と、メインダクトと空調ダクトとの連結部である第２連結部との間に配置される空気調和機の室内機（例えば、室内機ａ）と、室内機からの冷媒の漏洩を検知する冷媒漏洩検知手段（例えば、冷媒検知センサＤ）と、室内機の下流側で、メインダクトと連結されるとともに屋外と繋がる排出機構と、室内機を制御する制御装置（例えば、制御部２４）と、を備え、排出機構は、メインダクトと連結されるとともに屋外と繋がる排出ダクトを有し、空調ダクトは、室内機と排出ダクトとの間に室内機に近い第１空調ダクトと、室内機に遠い第２空調ダクトを有しており、常時は第１空調ダクトを開放し、冷媒漏洩検知手段が冷媒漏洩を検知した際に、第１空調ダクトを塞ぐまたはメインダクトを塞ぐ第１切換えダンパと、常時は排出ダクトを塞ぎ、冷媒漏洩検知手段が冷媒漏洩を検知した際に、第２空調ダクトを塞ぐ第２切換えダンパと、排出ダクトに設置した送風機と、を備え、制御装置は、冷媒漏洩検知手段で冷媒漏洩を検知した場合に、第１切換えダンパを第1空調ダクトを塞ぐように切換え、かつ、第２切換えダンパを第２空調ダクト側に切換え、排出ダクトに設置した送風機を運転して漏洩した冷媒を屋外へ排出運転を行うことを特徴とする。本発明のその他の態様については、後記する実施形態において説明する。
【国際調査報告】
2019097604.tif 000011
2019097604.tif 000012
2019097604.tif 000013
2019097604.tif 000014